(57)【特許請求の範囲】
【請求項１】
ホーム画面を表示するとともに、設定内容を変更するための設定操作を受け付けるときには設定画面を表示し、前記設定画面の表示中にホーム復帰操作を受け付けると、前記設定画面に代えて前記ホーム画面を表示する操作表示部と、
前記操作表示部の表示動作を制御するとともに、前記操作表示部に対して行われた操作を検知する制御部と、
情報を記憶する記憶部と、を備え、
前記設定画面の表示中に前記操作表示部に対して前記ホーム復帰操作が行われたとき、前記制御部は、前記設定操作によって設定内容が変更された設定項目である対象項目および前記対象項目の変更後の設定内容を示す変更履歴情報を前記記憶部に記憶させてから、前記対象項目の設定内容をリセットし、
前記ホーム画面の表示中に前記操作表示部に対して予め定められた第１操作が行われたとき、前記制御部は、前記対象項目の設定内容を前記変更履歴情報で示される設定内容に変更し、
前記ホーム画面の表示中に前記操作表示部に対して予め定められた第２操作が行われたとき、前記制御部は、前記対象項目および前記対象項目の変更後の設定内容を前記操作表示部に表示させることを特徴とする表示入力装置。
【請求項２】
前記制御部は、前記ホーム画面の表示中に前記操作表示部に対して前記ホーム復帰操作と同じ操作が行われたとき、前記ホーム復帰操作と同じ操作を前記第１操作として検知することを特徴とする請求項１に記載の表示入力装置。
【請求項３】
前記設定画面は、ジョブに関する設定を受け付けるための画面であり、
前記制御部は、前記ジョブが完了したとき、前記変更履歴情報を前記記憶部から削除することを特徴とする請求項１または２に記載の表示入力装置。
【請求項４】
前記制御部は、前記設定画面の表示中に前記ホーム復帰操作が行われてから所定時間が経過したとき、前記変更履歴情報を前記記憶部から削除することを特徴とする請求項１〜３のいずれか１項に記載の表示入力装置。
【請求項５】
前記制御部は、前記ホーム画面から、前記対象項目の設定内容を変更するための前記設定画面とは異なる画面への遷移を前記操作表示部に行わせるとき、前記変更履歴情報を前記記憶部から削除することを特徴とする請求項１〜４のいずれか１項に記載の表示入力装置。
【請求項６】
請求項１〜５のいずれか１項に記載の表示入力装置を備えることを特徴とする画像形成装置。
【発明の詳細な説明】
【技術分野】
【０００１】
本発明は、表示入力装置およびそれを備えた画像形成装置に関する。
【背景技術】
【０００２】
画像形成装置の操作パネルやスマートフォンなどの表示入力装置は、種々の画面を表示する。たとえば、特許文献１の表示入力装置（複合機の操作ユニット）には、ホーム画面や設定画面などが表示される。なお、ホーム画面は、複合機に搭載された複数種の機能（コピー機能など）のうちから使用機能の選択指示をユーザーから受け付けるための画面である。設定画面は、用紙サイズや濃度など各種設定項目の設定内容の変更をユーザーから受け付けるための画面である。
【０００３】
ここで、特許文献１の表示入力装置は、ホームキー（ハードウェアキー）を備える。ホームキーを押下する操作を行うと、その操作がホーム復帰操作として検知され、現在の表示画面がホーム画面へ遷移する。
【先行技術文献】
【特許文献】
【０００４】
【特許文献１】特開２０１５−１１９４８５号公報
【発明の概要】
【発明が解決しようとする課題】
【０００５】
表示入力装置によっては、ホーム復帰操作（ホームキーを押下する操作）が行われたことを検知すると、設定内容が変更された設定項目の変更後の設定内容をリセットする（デフォルトの設定内容に戻す）ものがある。すなわち、表示入力装置に対してホーム復帰操作を行うと表示画面がホーム画面に遷移するが、このときに、設定内容を変更した設定項目の変更後の設定内容がリセットされる。
【０００６】
このようにホーム復帰操作を受けて設定内容をリセットする構成では、設定内容を変更するための操作を行っているとき、誤ってホームキーを押下すると、変更後の設定内容が意図せずリセットされてしまう。この場合には、設定内容を変更するための操作を最初からやり直さなければならない。このため、ユーザーにとっては、煩わしく利便性が悪い。
【０００７】
本発明は、上記課題を解決するためになされたものであり、現在の設定内容を前回変更した設定内容に戻すときのユーザーの利便性を向上させることが可能な表示入力装置およびそれを備えた画像形成装置を提供することを目的とする。
【課題を解決するための手段】
【０００８】
上記目的を達成するため、本発明の表示入力装置は、ホーム画面を表示するとともに、設定内容を変更するための設定操作を受け付けるときには設定画面を表示し、設定画面の表示中にホーム復帰操作を受け付けると、設定画面に代えてホーム画面を表示する操作表示部と、操作表示部の表示動作を制御するとともに、操作表示部に対して行われた操作を検知する制御部と、情報を記憶する記憶部と、を備える。そして、設定画面の表示中に操作表示部に対してホーム復帰操作が行われたとき、制御部は、設定操作によって設定内容が変更された設定項目である対象項目および対象項目の変更後の設定内容を示す変更履歴情報を記憶部に記憶させてから、対象項目の設定内容をリセットする。また、ホーム画面の表示中に操作表示部に対して予め定められた第１操作が行われたとき、制御部は、対象項目の設定内容を変更履歴情報で示される設定内容に変更する。
【０００９】
本発明の構成では、設定画面を表示して設定内容を変更しているときに、ホーム復帰操作として検知される操作を誤って行ってしまい、それによって変更後の設定内容がリセットされても、第１操作を行えば、現在の設定内容が変更履歴情報で示される設定内容に変更される。すなわち、第１操作を行うだけで、現在の設定内容を前回変更した設定内容に戻すことができる。したがって、現在の設定内容を前回変更した設定内容に戻すために、設定操作を最初からやり直す必要はない。これにより、現在の設定内容を前回変更した設定内容に戻すときのユーザーの利便性が向上する。
【発明の効果】
【００１０】
本発明の構成では、現在の設定内容を前回変更した設定内容に戻すときのユーザーの利便性を向上させることができる。
【図面の簡単な説明】
【００１１】
【図１】本発明の一実施形態による複合機を示す図
【図２】本発明の一実施形態による操作パネルを示す図
【図３】本発明の一実施形態による複合機（操作パネル）のハードウェア構成を示す図
【図４】本発明の一実施形態による操作パネルに表示されるホーム画面を示す図
【図５】本発明の一実施形態による操作パネルに表示される設定画面を示す図
【図６】本発明の一実施形態による操作パネルに表示される詳細設定画面を示す図
【図７】本発明の一実施形態による操作パネルに対して設定操作が行われた場合の表示画面の遷移を示す図
【図８】本発明の一実施形態による操作パネルに対してホーム復帰操作および第１操作が行われた場合の表示画面の遷移を示す図
【図９】本発明の一実施形態による操作パネルに表示される報知メッセージを示す図
【図１０】本発明の一実施形態による操作パネルに表示される変更履歴リストを示す図
【図１１】本発明の一実施形態による操作パネルのホームキーに対して操作が行われたときの処理の流れを説明するためのフローチャート
【発明を実施するための形態】
【００１２】
以下に、本発明の一実施形態による画像形成装置について、コピー機能や送信機能（たとえば、ファックス機能）など複数種の機能が搭載された複合機を例にとって説明する。
【００１３】
＜複合機の全体構成＞
図１に示すように、本実施形態の複合機１００（「画像形成装置」に相当）は、画像読取部１および印刷部２を備える。画像読取部１は、原稿を読み取って原稿の画像データを生成する。印刷部２は、用紙搬送路２１に沿って用紙を搬送する。また、印刷部２は、画像データに基づきトナー像を形成する。そして、印刷部２は、搬送中の用紙にトナー像を転写（印刷）する。
【００１４】
印刷部２は、給紙部３、用紙搬送部４、画像形成部５および定着部６によって構成される。給紙部３は、ピックアップローラー３１および給紙ローラー対３２を含み、用紙カセット３３に収容された用紙を用紙搬送路２１に供給する。用紙搬送部４は、複数の搬送ローラー対４１を含み、用紙搬送路２１に沿って用紙を搬送する。
【００１５】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙に転写する。定着部６は、加熱ローラー６１および加圧ローラー６２を含み、用紙に転写されたトナー像を加熱および加圧して定着させる。
【００１６】
また、複合機１００には、操作パネル７が装着される。たとえば、操作パネル７は、複合機１００の正面側（図１の破線で示す箇所）に配置される。なお、操作パネル７は、「表示入力装置」に相当する。
【００１７】
操作パネル７は、図２に示すように、操作表示部７０を備える。操作表示部７０は、タッチパネルディスプレイ７１やハードウェアキー７２を含む。ハードウェアキー７２としては、ジョブのスタート指示を受け付けるためのスタートキーやジョブのストップ指示を受け付けるためのストップキー、デフォルトから変更した設定内容のリセット指示を受け付けるためのリセットキーなどがある。さらに、ハードウェアキー７２としてホームキー７３がある。なお、ホームキー７３については後に詳細に説明する。
【００１８】
＜複合機のハードウェア構成＞
図３に示すように、複合機１００は、主制御部１１０および通信部１２０を備える。主制御部１１０は、ＣＰＵ１１１およびメモリー１１２（ＲＯＭやＲＡＭなど）を含む。ＣＰＵ１１１は、制御用のプログラムおよびデータに基づき動作し、画像読取部１および印刷部２の各動作を制御する。制御用のプログラムおよびデータは、メモリー１１２に記憶される（ＲＯＭに予め記憶され、ＲＡＭに展開される）。
【００１９】
通信部１２０は、外部のコンピューター２００とネットワークを介して通信可能に接続される。これにより、コンピューター２００から送信された画像データに基づき印刷を行うことができるとともに、原稿の読み取りによって得られた原稿の画像データをコンピューター２００に送信することもできる。また、通信部１２０にモデムなどを内蔵してもよい。この場合、電話回線などのネットワークを介して、外部のファクシミリ３００とファックス通信することができる。
【００２０】
ここで、操作パネル７は、パネル制御部７１０（パネルコントローラー）を備える。パネル制御部７１０は、パネルＣＰＵ７１１およびパネルメモリー７１２（ＲＯＭやＲＡＭなど）を含む。このパネル制御部７１０は、主制御部１１０から指示を受け、タッチパネルディスプレイ７１の表示動作を制御する。さらに、パネル制御部７１０は、タッチパネルディスプレイ７１に対するタッチ操作や、ハードウェアキー７２に対する押下操作を検知する。なお、パネル制御部７１０は「制御部」に相当し、パネルメモリー７１２は「記憶部」に相当する。
【００２１】
＜操作パネルの表示画面＞
パネル制御部７１０は、図４に示すようなホーム画面８１０を初期画面として操作表示部７０に表示させる。ホーム画面８１０は、コピー機能や送信機能など複数種の機能のうちいずれを使用するかの選択指示をユーザーから受け付けるための画面である。このホーム画面８１０には、複数種の機能にそれぞれ対応する複数の機能キー８１（ソフトウェアキー）が配置される。
【００２２】
パネル制御部７１０は、複数の機能キー８１のいずれかに対して操作が行われると、操作を受けた機能キー８１に対応する機能を使用機能として認識する。そして、パネル制御部７１０は、使用機能のジョブに関する設定内容（ジョブ実行条件など）を変更するための設定操作の受け付けを操作表示部７０に行わせる。このとき、操作表示部７０は、設定画面８２０（図５参照）を表示する。
【００２３】
たとえば、複数の機能キー８１のうちコピーキーに対して操作を行うと、図５に示すようなコピー画面８２１が設定画面８２０として表示される。図示しないが、コピーキー以外の機能キー８１に対して操作を行った場合には、当該機能キー８１に対応する設定画面８２０が表示される。
【００２４】
コピー画面８２１には、「用紙サイズ」や「濃度」など複数の設定項目にそれぞれ対応する複数の項目キー８２（ソフトウェアキー）が配置される。また、複数の項目キー８２の各表示領域には、対応する設定項目の現在の設定内容が表示される。
【００２５】
パネル制御部７１０は、複数の項目キー８２のいずれかに対して操作が行われると、詳細設定画面８３０（図６参照）を操作表示部７０に表示させる。たとえば、複数の項目キー８２のうち用紙サイズキーに対して操作を行うと、図６に示すような用紙サイズ設定画面８３１が詳細設定画面８３０として表示される。図示しないが、用紙サイズキー以外の項目キー８２に対して操作を行った場合には、当該項目キー８２に対応する詳細設定画面８３０が表示される。
【００２６】
用紙サイズ設定画面８３１には、印刷に用いる用紙サイズ（給紙元）を設定するための用紙サイズ設定キー８３が複数配置される。この用紙サイズ設定画面８３１において、「カセット１（Ａ４）」という用紙サイズ設定キー８３に対して操作を行うと、印刷に用いる用紙サイズをＡ４サイズに設定することができ、「カセット２（Ｂ５）」という用紙サイズ設定キー８３に対して操作を行うと、印刷に用いる用紙サイズをＢ５サイズに設定することができる。たとえば、デフォルトでは、用紙サイズが「自動」に設定される。
【００２７】
また、用紙サイズ設定画面８３１などの詳細設定画面８３０には、決定キーＫが配置される。決定キーＫに対して操作を行った場合には、詳細設定画面８３０での設定が確定する。
【００２８】
パネル制御部７１０は、決定キーＫに対する操作が行われると、操作表示部７０に指示し、詳細設定画面８３０から設定画面８２０へ表示画面を遷移させる。また、パネル制御部７１０は、決定キーＫに対する操作が行われると、その時点の詳細設定画面８３０に対応する設定項目の設定内容がデフォルトから変更されたか否かを判断する。この判断の結果、設定内容がデフォルトから変更されていれば、パネル制御部７１０は、設定内容がデフォルトから変更された設定項目を対象項目として認識し、パネルメモリー７１２に記憶された設定情報を書き換える。なお、設定情報というのは、複数の設定項目のそれぞれの現在の設定内容を示す情報であり、複数の設定項目のいずれかの設定内容をデフォルトから変更すると、設定情報で示される複数の設定項目のうち設定内容を変更した設定項目の設定内容が変更後の設定内容に書き換えられる。
【００２９】
たとえば、用紙サイズが「自動（デフォルト）」から「Ａ４サイズ」に変更されたとする。この場合、図７に示すように、複数の項目キー８２のうち用紙サイズキーの表示領域に表示される現在の設定内容は、デフォルトの設定内容である「自動」から変更後の設定内容である「Ａ４サイズ」に切り替わる。すなわち、用紙サイズが「Ａ４サイズ」に設定された状態となる。図７では、設定内容が変更された設定項目（すなわち、用紙サイズ）に対応する項目キー８２にハッチングを施し、他の項目キー８２と区別する。
【００３０】
そして、パネル制御部７１０は、設定画面８２０の表示中にスタートキー（ハードウェアキー７２）に対する操作が行われると、ジョブのスタート指示を受け付けた旨を示すスタート通知を主制御部１１０に送信する。なお、パネル制御部７１０は、設定内容がデフォルトから変更された設定項目（対象項目）が存在すれば、対象項目および対象項目の変更後の設定内容をスタート通知に含める。たとえば、パネル制御部７１０は、設定情報に基づき、対象項目が存在するか否かを判断する。
【００３１】
主制御部１１０は、パネル制御部７１０からスタート通知を受けると、実行すべきジョブに関する複数の設定項目の各設定を行い、ジョブを開始する。このとき、設定内容がデフォルトから変更された設定項目（対象項目）が存在すれば、主制御部１１０は、複数の設定項目のうち対象項目の設定内容を変更後の設定内容に設定する。
【００３２】
たとえば、設定画面８２０の表示中、スタートキー（ハードウェアキー７２）に対する操作の前に、リセットキー（ハードウェアキー７２）に対する操作が行われたとする。この場合、パネル制御部７１０は、設定内容がデフォルトから変更された設定項目（対象項目）が存在すれば、対象項目の設定内容をリセットする（対象項目の設定内容を変更後の設定内容から元の設定内容に戻す）。すなわち、パネル制御部７１０は、設定情報（複数の設定項目のそれぞれの現在の設定内容を示す情報）で示される複数の設定項目の全ての設定内容をデフォルトの設定内容に変更する。これにより、設定内容を変更した設定項目（対象項目）の設定内容がデフォルトに戻る。なお、後述するホーム復帰操作を行った場合にも、リセットキーに対する操作を行った場合と同様、変更後の設定内容がリセットされる。
【００３３】
＜ホームキーに対する操作＞
（ホーム復帰操作）
パネル制御部７１０は、設定画面８２０や詳細設定画面８３０の表示中にホームキー７３（図２参照）を１回押下する操作が行われると、その操作をホーム復帰操作として検知する。パネル制御部７１０は、操作表示部７０に対してホーム復帰操作が行われると、操作表示部７０に指示し、設定画面８２０（または、詳細設定画面８３０）からホーム画面８１０へ表示画面を遷移させる。このとき、パネル制御部７１０は、設定内容がデフォルトから変更された設定項目（対象項目）が存在すれば、対象項目の設定内容をリセットする。これにより、設定内容を変更した設定項目（対象項目）の設定内容がデフォルトに戻る。
【００３４】
ここで、パネル制御部７１０は、操作表示部７０に対してホーム復帰操作が行われたとき、設定内容がデフォルトから変更された設定項目（対象項目）が存在すれば、対象項目および対象項目の変更後の設定内容を示す情報を変更履歴情報７２０（図３参照）としてパネルメモリー７１２に記憶させる。そして、パネル制御部７１０は、パネルメモリー７１２に変更履歴情報７２０を記憶させてから、対象項目の設定内容をリセットし、設定画面８２０（または、詳細設定画面８３０）からホーム画面８１０への表示画面の遷移を操作表示部７０に行わせる。
【００３５】
なお、パネルメモリー７１２に記憶された変更履歴情報７２０は、予め定められた削除条件が満たされると、パネルメモリー７１２から自動的に削除される。あるいは、予め定められた削除操作を操作表示部７０に対して行うことにより、パネルメモリー７１２から変更履歴情報７２０を削除できてもよい。
【００３６】
たとえば、パネル制御部７１０は、変更後の設定内容に基づき実行したジョブが完了したとき、削除条件が満たされたとして、変更履歴情報７２０をパネルメモリー７１２から削除する。また、パネル制御部７１０は、設定画面８２０の表示中にホーム復帰操作が行われてから所定時間（たとえば、数秒〜数十秒）が経過したとき、すなわち、設定画面８２０からホーム画面８１０へ表示画面を遷移させてから所定時間が経過したとき、削除条件が満たされたとして、変更履歴情報７２０をパネルメモリー７１２から削除する。さらに、パネル制御部７１０は、ホーム画面８１０から所定画面（対象項目の設定内容の変更を受け付けるための設定画面８２０とは異なる画面）へ表示画面を遷移させるとき、削除条件が満たされたとして、変更履歴情報７２０をパネルメモリー７１２から削除する。
【００３７】
（第１操作および第２操作）
パネル制御部７１０は、ホーム画面８１０の表示中に、予め定められた第１操作が行われたか否かを判断する。たとえば、パネル制御部７１０は、ホーム画面８１０の表示中にホームキー７３（図２参照）を１回押下する操作が行われると、その操作を第１操作として検知する。すなわち、ホーム画面８１０の表示中に、ホーム復帰操作と同じ操作を行うと、その操作はホーム復帰操作として検知されずに第１操作として検知される。
【００３８】
第１操作として検知する操作は特に限定されない。たとえば、図示しないが、第１操作を受け付けるための第１操作受付キー（ソフトウェアキー）をホーム画面８１０内に配置し、その第１操作受付キーに対する操作を第１操作として検知してもよい。また、ホーム画面８１０の表示中に、複数のハードウェアキー７２のいずれかに対して予め定められた操作（たとえば、長押し操作など）が行われたとき、その操作を第１操作として検知してもよい。あるいは、ホーム画面８１０の表示中に、ハードウェアキー７２としてのテンキーに対する操作が予め定められた順番で行われたとき、その操作を第１操作として検知してもよい。
【００３９】
パネル制御部７１０は、操作表示部７０に対して第１操作が行われると、パネルメモリー７１２に変更履歴情報７２０（対象項目および対象項目の変更後の設定内容を示す情報）が記憶されているか否かを判断する。この判断の結果、パネルメモリー７１２に変更履歴情報７２０が記憶されていれば、パネル制御部７１０は、操作表示部７０に指示し、ホーム画面８１０から設定画面８２０へ表示画面を遷移させる。たとえば、パネル制御部７１０は、複数の設定画面８２０のうち対象項目の設定内容を変更するための設定画面８２０を操作表示部７０に表示させる。
【００４０】
さらに、第１操作が行われたことを受けてホーム画面８１０から設定画面８２０へ表示画面を遷移させるとき、パネル制御部７１０は、対象項目の設定内容を変更履歴情報７２０で示される設定内容に変更する。すなわち、設定情報（複数の設定項目のそれぞれの現在の設定内容を示す情報）で示される複数の設定項目のうち対象項目の設定内容を変更履歴情報７２０で示される設定内容に書き換える。この場合には、対象項目の設定内容が前回変更した設定内容に戻る。
【００４１】
たとえば、図８に示すように、用紙サイズが「自動（デフォルト）」から「Ａ４サイズ」に変更され、この状態でホーム復帰操作が行われたとする。この場合、パネル制御部７１０は、変更履歴情報７２０として、用紙サイズが「Ａ４サイズ」に変更された旨の情報をパネルメモリー７１２に記憶させる。続いて、パネル制御部７１０は、用紙サイズの設定内容をリセットする。すなわち、パネル制御部７１０は、用紙サイズの設定内容を「Ａ４サイズ」から「自動（デフォルト）」に戻す。そして、パネル制御部７１０は、コピー画面８２１からホーム画面８１０への表示画面の遷移を行わせる。
【００４２】
その後、第１操作が行われた場合、パネル制御部７１０は、用紙サイズの設定内容を「自動（デフォルト）」から「Ａ４サイズ」に変更する。そして、パネル制御部７１０は、ホーム画面８１０からコピー画面８２１への表示画面の遷移を行わせる。これにより、用紙サイズキー（項目キー８２）の表示領域に表示される現在の設定内容は「Ａ４サイズ」となる。
【００４３】
なお、第１操作が行われたとき、パネルメモリー７１２に変更履歴情報７２０が記憶されていなければ、パネル制御部７１０は、現在表示中のホーム画面８１０の表示を続行させる。このとき、図９に示すように、設定内容が変更されていない旨の報知メッセージＭＧをホーム画面８１０上にポップアップ表示してもよい。
【００４４】
また、パネル制御部７１０は、ホーム画面８１０の表示中に、予め定められた第２操作が行われたか否かを判断する。たとえば、パネル制御部７１０は、ホーム画面８１０の表示中にホームキー７３（図２参照）を複数回（たとえば、２回）連続して押下する操作が行われると、その操作を第２操作として検知する。なお、第２操作として検知する操作は特に限定されず、第１操作と異なる操作であればよい。
【００４５】
パネル制御部７１０は、操作表示部７０に対して第２操作が行われると、パネルメモリー７１２に変更履歴情報７２０（対象項目および対象項目の変更後の設定内容を示す情報）が記憶されているか否かを判断する。この判断の結果、パネルメモリー７１２に変更履歴情報７２０が記憶されていれば、パネル制御部７１０は、操作表示部７０に指示し、変更履歴情報７２０で示される変更履歴（対象項目および対象項目の変更後の設定内容）を操作表示部７０に表示させる。たとえば、図１０に示すように、対象項目および対象項目の変更後の設定内容を示す変更履歴リストＨＬがホーム画面８１０上にポップアップ表示される。
【００４６】
＜ホームキーに対する操作が行われたときの処理の流れ＞
以下に、図１１に示すフローチャートを参照し、ホームキー７３に対する操作が行われたときの処理の流れについて説明する。図１１に示すフローチャートのスタートは、ホームキー７３に対する操作をパネル制御部７１０が検知したときにスタートする。
【００４７】
ステップＳ１において、パネル制御部７１０は、ホームキー７３に対する操作がホーム復帰操作であったか否かを判断する。すなわち、パネル制御部７１０は、設定画面８２０の表示中にホームキー７３を１回押下する操作が行われたか否かを判断する。その結果、ホーム復帰操作が行われたとパネル制御部７１０が判断した場合には、ステップＳ２に移行する。
【００４８】
ステップＳ２に移行すると、パネル制御部７１０は、設定内容がデフォルトから変更された設定項目である対象項目が存在するか否かを判断する。その結果、対象項目が存在するとパネル制御部７１０が判断した場合には、ステップＳ３に移行する。ステップＳ３に移行すると、パネル制御部７１０は、対象項目および対象項目の変更後の設定内容を示す変更履歴情報７２０をパネルメモリー７１２に記憶させる。その後、ステップＳ４において、パネル制御部７１０は、対象項目の設定内容をリセットする。
【００４９】
そして、ステップＳ５において、パネル制御部７１０は、操作表示部７０にホーム画面８１０を表示させる（設定画面８２０からホーム画面８１０へ表示画面が遷移される）。なお、ステップＳ２において、対象項目が存在しないとパネル制御部７１０が判断した場合には、ステップＳ３およびＳ４を省略し、ステップＳ５に移行する。
【００５０】
ステップＳ１において、ホームキー７３に対する操作がホーム復帰操作ではないとパネル制御部７１０が判断した場合には、ステップＳ６に移行する。ステップＳ６に移行すると、パネル制御部７１０は、ホームキー７３に対する操作が第１操作であったか否かを判断する。すなわち、パネル制御部７１０は、ホーム画面８１０の表示中にホームキー７３を１回押下する操作が行われたか否かを判断する。その結果、第１操作が行われたとパネル制御部７１０が判断した場合には、ステップＳ７に移行する。
【００５１】
ステップＳ７に移行すると、パネル制御部７１０は、パネルメモリー７１２に変更履歴情報７２０（対象項目および対象項目の変更後の設定内容を示す情報）が記憶されているか否かを判断する。その結果、パネルメモリー７１２に変更履歴情報７２０が記憶されているとパネル制御部７１０が判断した場合には、ステップＳ８に移行する。
【００５２】
ステップＳ８に移行すると、パネル制御部７１０は、変更履歴情報７２０に基づき、対象項目の設定内容を変更する。これにより、対象項目の設定内容がデフォルトの設定内容から変更履歴情報７２０で示される設定内容に変更される。その後、ステップＳ９において、パネル制御部７１０は、操作表示部７０に設定画面８２０を表示させる（ホーム画面８１０から設定画面８２０へ表示画面が遷移される）。
【００５３】
また、ステップＳ７において、パネルメモリー７１２に変更履歴情報７２０が記憶されていないとパネル制御部７１０が判断した場合には、ステップＳ１０に移行する。ステップＳ１０に移行すると、パネル制御部７１０は、操作表示部７０に報知メッセージＭＧ（図９参照）を表示させる。なお、ホーム画面８１０の表示は続行される（ホーム画面８１０上に報知メッセージＭＧがポップアップ表示される）。たとえば、報知メッセージＭＧの表示開始から予め定められた時間が経過したとき、報知メッセージＭＧの表示を停止してもよい。あるいは、予め定められた停止操作が操作表示部７０に対して行われことを受けて、報知メッセージＭＧの表示を停止してもよい。
【００５４】
ステップＳ６において、ホームキー７３に対する操作が第１操作（ホームキー７３を１回押下する操作）ではないとパネル制御部７１０が判断した場合には、ステップＳ１１に移行する。ステップＳ１１に移行すると、パネル制御部７１０は、ホームキー７３に対する操作が第２操作であったか否かを判断する。すなわち、パネル制御部７１０は、ホーム画面８１０の表示中にホームキー７３を複数回連続して押下する操作が行われたか否かを判断する。その結果、第２操作が行われたとパネル制御部７１０が判断した場合には、ステップＳ１２に移行する。
【００５５】
ステップＳ１２に移行すると、パネル制御部７１０は、パネルメモリー７１２に変更履歴情報７２０（対象項目および対象項目の変更後の設定内容を示す情報）が記憶されているか否かを判断する。その結果、パネルメモリー７１２に変更履歴情報７２０が記憶されているとパネル制御部７１０が判断した場合には、ステップＳ１３に移行する。なお、パネルメモリー７１２に変更履歴情報７２０が記憶されていないとパネル制御部７１０が判断した場合には、ステップＳ１０に移行する。
【００５６】
ステップＳ１３に移行した場合、パネル制御部７１０は、操作表示部７０に変更履歴リストＨＬ（図１０参照）を表示させる。なお、ホーム画面８１０の表示は続行される（ホーム画面８１０上に変更履歴リストＨＬがポップアップ表示される）。たとえば、変更履歴リストＨＬの表示開始から予め定められた時間が経過したとき、変更履歴リストＨＬの表示を停止してもよい。あるいは、予め定められた停止操作が操作表示部７０に対して行われたことを受けて、変更履歴リストＨＬの表示を停止してもよい。
【００５７】
ステップＳ１１において、ホームキー７３に対する操作が第２操作（ホームキー７３を複数回連続して押下する操作）ではないとパネル制御部７１０が判断した場合には、ステップＳ１４に移行する。ステップＳ１４に移行すると、パネル制御部７１０は、現在表示中の画面の表示を続行させる。
【００５８】
本実施形態の操作パネル７（表示入力装置）は、上記のように、ホーム画面８１０を表示するとともに、設定内容を変更するための設定操作を受け付けるときには設定画面８２０を表示し、設定画面８２０の表示中にホーム復帰操作を受け付けると、設定画面８２０に代えてホーム画面８１０を表示する操作表示部７０と、操作表示部７０の表示動作を制御するとともに、操作表示部７０に対して行われた操作を検知するパネル制御部７１０（制御部）と、情報を記憶するパネルメモリー７１２（記憶部）とを備える。そして、設定画面８２０の表示中に操作表示部７０に対してホーム復帰操作が行われたとき、パネル制御部７１０は、設定操作によって設定内容が変更された設定項目である対象項目および対象項目の変更後の設定内容を示す変更履歴情報７２０をパネルメモリー７１２に記憶させてから、対象項目の設定内容をリセットする。また、ホーム画面８１０の表示中に操作表示部７０に対して第１操作（ホームキー７３を１回押下する操作）が行われたとき、パネル制御部７１０は、対象項目の設定内容を変更履歴情報７２０で示される設定内容に変更する。
【００５９】
本実施形態の構成では、設定画面８２０を表示して設定内容を変更しているときに、ホーム復帰操作として検知される操作を誤って行ってしまい、それによって変更後の設定内容がリセットされても、第１操作を行えば、現在の設定内容が変更履歴情報７２０で示される設定内容に変更される。すなわち、第１操作を行うだけで、現在の設定内容を前回変更した設定内容に戻すことができる。したがって、現在の設定内容を前回変更した設定内容に戻すために、設定操作を最初からやり直す必要はない。これにより、現在の設定内容を前回変更した設定内容に戻すときのユーザーの利便性が向上する。
【００６０】
また、本実施形態では、上記のように、パネル制御部７１０は、ホーム画面８１０の表示中に操作表示部７０に対してホーム復帰操作と同じ操作（ホームキー７３を１回押下する操作）が行われたとき、その操作を第１操作として検知する。この構成では、ホームキー７３を１回押下するという簡単な操作を行うだけで、現在の設定内容を前回変更した設定内容に戻すことができるようになる。
【００６１】
また、本実施形態では、上記のように、パネル制御部７１０は、ホーム画面８１０の表示中に操作表示部７０に対して第２操作（ホームキー７３を複数回連続して押下する操作）が行われたとき、対象項目および対象項目の変更後の設定内容を操作表示部７０に表示させる。この構成では、現在の設定内容を前回変更した設定内容に戻すときに、前回変更した設定内容を事前に確認することができるので、ユーザーの利便性がより向上する。
【００６２】
また、本実施形態では、上記のように、パネル制御部７１０は、予め定められた削除条件が満たされたとき、変更履歴情報７２０をパネルメモリー７１２から削除する。この構成では、変更履歴情報７２０が不必要にパネルメモリー７１２に記憶され続けるのを抑制することができる。
【００６３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００６４】
たとえば、上記実施形態では、本発明を複合機の操作パネルに適用する例について説明したが、複合機以外の装置に装着される操作パネルにも適用可能であり、スマートフォンやタブレット端末などの情報端末にも適用可能である。
【符号の説明】
【００６５】
７  操作パネル（表示入力装置）
７０  操作表示部
１００  複合機（画像形成装置）
７１０  パネル制御部（制御部）
７１２  パネルメモリー（記憶部）
７２０  変更履歴情報
８１０  ホーム画面
８２０  設定画面
【図１】
0006447543.tif 000002
【図２】
0006447543.tif 000003
【図３】
0006447543.tif 000004
【図４】
0006447543.tif 000005
【図５】
0006447543.tif 000006
【図６】
0006447543.tif 000007
【図７】
0006447543.tif 000008
【図８】
0006447543.tif 000009
【図９】
0006447543.tif 000010
【図１０】
0006447543.tif 000011
【図１１】
0006447543.tif 000012